(57)【要約】【課    題】  物理的な引張りによって、皮膚を引き締めて活性化すると同時に、薬剤を速やかに皮膚面に浸透させ、パックを短時間で完結させるための機能を具備する化粧シートの提供。【解決手段】  皮膚表面に粘着可能な粘着層を設けてなる基材シートの粘着層に剥離可能な離型シートに皮膚外用剤塗布用のループ状の切離し線が形成され、該切離し線が基材シートの輪郭線の内側に設けられてなる化粧シート。【選択図面】  図２
2005185391.tif 000002
【特許請求の範囲】
【請求項１】
皮膚表面に粘着可能な粘着層を設けてなる基材シートの粘着層に剥離可能な離型シートが接合されてなる化粧シートにおいて、該離型シートには、ループ状の切離し線が形成されており、該切離し線は基材シートの輪郭線の内側に設けられ、かつ、該基材シートへの皮膚外用剤又は薬液の塗布、含浸域に相当することを特徴とする化粧シート。
【請求項２】
該離型シートの一部が切離し線によって切り離された後のくり抜き部には、該基材シートの粘着層の上に皮膚外用剤の塗布、含浸域が設けられることとなり、皮膚の所定の部位には該皮膚外用剤又は薬液が直接的に接触し、該含浸域の周辺部は、該粘着層によって皮膚表面にしっかりと粘着されることを特徴とする請求項１の化粧シート。
【請求項３】
前記基材シートは、顔面の一部を覆う形状に成形されてなり、摘み部を有することを特徴とする請求項１又は２に記載の化粧シート。
【請求項４】
前記化粧シートが、皺・たるみの予防及び／又は改善用であることを特徴とする請求項1〜３のいずれかに記載の化粧シート。
【請求項５】
請求項１〜４のいずれかに記載の化粧シートの切離し線に沿って基材シートの切離し部を剥がした後、粘着層表面に形成される上記くり抜き部に皮膚外用剤又は薬液を塗布し、該粘着層を上記塗布面が皮膚表面に接触して貼着することを特徴とする化粧シートの使用方法。
【請求項６】
化粧シートと、該化粧シートとは別収納の皮膚外用剤又は薬液とからなり、且つ同一包装体内に配設せしめてなることを特徴とする化粧シートキット。
【発明の詳細な説明】
【技術分野】
【０００１】
本発明は、皮膚表面の皺、たるみの予防や改善に有効な化粧シートに関する。
また、本発明は、離型シートにループ状の切離し線が形成され、切離し線が基材シートの輪郭線の内側であって、基材シートへの皮膚外用剤又は薬液塗布域に相当する化粧シートに関する。
さらに、本発明は、別体の容器又は袋に封入した皮膚外用剤又は薬液とともに使用される化粧シートキットに関する。
【背景技術】
【０００２】
ヒトの皮膚は、加齢とともに、弾力性を失い皺・たるみが発生しやすくなる。また、若年であっても紫外線に長時間曝された場合、睡眠不足、栄養バランスが崩れた状態が長期間続くと皮膚に皺・たるみを生じやすくなり、特に顔面の場合、表情に変化を与え、老けた印象をもたらすし、美容上も好ましいものではない。
これらへの対策として、従来、(1)物理的に皺・たるみを目立たなくする方法や、(2)皺・たるみに有効な薬剤を皮膚外用剤中に配合する化学的の方法等が知られている。
【０００３】
前者の(1)物理的方法としては、例えば、特開2002-45232号公報（特許文献１）、実用新案登録第3090209号公報（特許文献２）等で、テープの両端に粘着部分を設け、身体の所定の箇所に貼付するものが開示されている。いずれも、単に物理的に皮膚を引っ張るのみで皺・たるみの予防対策に繋がるものではない。また、特開2002-241222号公報（特許文献３）には鈎型形状のテープで耳の後ろ側を引っ張る方法について記載されている。貼付部位が限られるのと、物理的な引張りのみで皺・たるみ予防の上で満足できるものではなかった。
【０００４】
後者の(2)化学的な方法では、薬剤を含有するクリーム、乳液ローションなどを所定の箇所に塗布、擦り込む方法が従来から採られているが、一定量、正確に出して使用するには手間がかかるものであった。また、外出先へは容器ごと持参せねばならず、嵩張るし、重く携行性も悪いものであった。
【０００５】
そこで、これを改善する方法として、薬剤を含むシート剤について種々提案がなされている。例えば、特許第3215852号公報（特許文献４）のように、紙を基材としてゼリー状コラーゲン加水分解物を粘着性成分として塗工したシート材について提案されている。この方法では、基材が紙であるために引張りに弱く、粘着時に破れ易い、コラーゲン加水分解物が腐敗しやすく長期保管ができないなどの問題があり、必ずしも実用的とはいえなかった。
また、特開2001-335430号公報（特許文献５）には、皺改善に有効な成分を含有する高分子ゲル剤とシート基材を積層した皺伸ばしシートが記載されているが、このシートを皮膚に粘着したとき、高粘度のゲル剤を媒体とするために経皮吸収成分の吸収速度が遅く、所望の効果を出すには長時間シートを粘着したままにせねばならず大変使用感の悪いものであった。
【０００６】
【特許文献１】特開2002-45232号公報
【特許文献２】実用新案登録第3090209号公報
【特許文献３】特開2002-241222号公報
【特許文献４】特許第3215852号公報
【特許文献５】特開2001-335430号公報
【発明の開示】
【発明が解決しようとする課題】
【０００７】
本発明は、上述の問題点を解決すべく鋭意検討した結果、物理的な引張りによって、皮膚を引き締めて活性化すると同時に、薬剤を速やかに皮膚面に浸透させ、パックを短時間で完結させるための機能を具備する化粧シートを提供しするものである。
さらには、所定量の皮膚外用剤又は薬液を正確なゲル基材に塗布し、粘着時の操作が極めて簡便で、薬剤を所望の部位に選択的に集中的に付与することが手軽にでき、使用性が良好で、携行性にも優れた化粧シートや化粧シートキットとこのような美容シートの使用を提供するものである。
また、皮膚外用剤又は薬液を化粧シートと別収納とすることにより、品質の保持と安全性を確保しようとするものである。
【課題を解決するための手段】
【０００８】
すなわち、本発明は、以下の構成を基本とするものである。
【０００９】
（１）皮膚表面に粘着可能な粘着層を設けてなる基材シートの粘着層に剥離可能な離型シートが接合されてなる化粧シートにおいて、該離型シートには、ループ状の切離し線が形成されており、該切離し線は基材シートの輪郭線の内側に設けられ、かつ、該基材シートへの皮膚外用剤又は薬液の塗布、含浸域に相当することを特徴とする化粧シート。
（２）該離型シートの一部が切離し線によって切り離された後のくり抜き部には、該基材シートの粘着層の上に皮膚外用剤の塗布、含浸域が設けられることとなり、皮膚の所定の部位には該皮膚外用剤又は薬液が直接的に接触し、該含浸域の周辺部は、該粘着層によって皮膚表面にしっかりと粘着されることを特徴とする（１）の化粧シート。
（３）前記基材シートは、顔面の一部を覆う形状に成形されてなり、摘み部を有することを特徴とする（１）又は（２）に記載の化粧シート。
（４）前記化粧シートが、皺・たるみの予防及び／又は改善用であることを特徴とする（１）〜（３）のいずれかに記載の化粧シート。
（５）上記（１）〜（４）のいずれかに記載の化粧シートの切離し線に沿って基材シートの切離し部を剥がした後、粘着層表面に形成される上記くり抜き部に皮膚外用剤又は薬液を塗布し、該粘着層を上記塗布面が皮膚表面に接触して貼着することを特徴とする化粧シートの使用方法。
（６）化粧シートと、該化粧シートとは別収納の皮膚外用剤又は薬液とからなり、且つ同一包装体内に配設せしめてなることを特徴とする化粧シートキット。
【発明の効果】
【００１０】
本発明では、皮膚を引き締めて活性化させると同時に、皺やたるみ予防さらには改善に有効な薬剤を皮膚へ局部的に集中的に与えることができるという顕著な美容効果を与えることのできる化粧シートを提供することが可能である。
そして、本発明では、皺・たるみの予防に効果的であるのみならず、仮に皺・たるみが現出した段階であっても、本発明による処置を行うと、一度失われかけた皮膚の若々しさ、瑞々しさ、艶、ハリを取り戻す効果を発揮することが可能となる。
また、本発明の化粧シートの使用した際に、離型シートに形成されるくり抜き部の計量機能により、薬剤を無駄なく、効率的に皮膚へ供給することができ、使用時に手や衣服を汚損する心配もない。
【００１１】
さらに、本発明の化粧シートを使用したときに、化粧シートの持つ閉曲効果により薬剤の経皮吸収速度が大きいので、短時間の貼付であっても高いパック効果が得られる。
本発明の化粧シートを、化粧キットとすることによって、化粧シートと皺・たるみの予防、改善に有効な成分を含有する皮膚外用剤とのコンパクトなセットとすることができ、煩雑な操作をすることなく容易にパックができるので、旅行先、外出先などで使用する携行性に優れている。また、皮膚外用剤は、貼付シートと隔離されて収納することによって、保管性、品質安定性にも問題がなくなる。
特に、酸化などの影響を受けやすい薬剤成分を使用する場合に、高い効果を発揮する。
【発明を実施するための最良の形態】
【００１２】
以下に本発明の好ましい形態を図面によって具体的に説明する。
図１は、本発明の化粧シートの平面図、図２は、化粧シートの断面図、図３は、使用前の離型シートの一部の剥がし状態の断面図である。
本発明の化粧シート１は、支持体上に皮膚表面に粘着可能な粘着層５が設けられた基材シート２と、該粘着層５を保護し、使用時に分離可能な離型シート３が接合された積層構造のシート体からなる。該離型シート３には、切離し部４の切離しのためのループ状の切離し線６が形成されており、使用時には離型シートの切離し部４が裏面側（基材シートと接する反対側）から剥がし取られる。該ループ状の切離し線６で区劃された輪郭８を有する基材シートは、皮膚外用剤又は薬液等の塗布、含浸後に、摘み部７によって離型シートから簡単に剥がすことができ、肌の必要部に貼りつけられる。
本発明の化粧シートでは、離型シートの切離し線６が基材シートの輪郭（線）８の内側に設けられることによって、薬剤を無駄なく、効率的に皮膚へ供給することができ、使用時に手や衣服を汚損する心配もないという効果を発揮することができる。
【００１３】
次に、本発明の貼付シートの使用について説明する。
離型シート３に形成されたループ状の切離し線６に沿って、離型シートの切離し部４を裏面側（基材シートに接する反対側）から切離し、切離し部の輪郭８に対応した域をくり抜く。その際、基材シート２の粘着層が露出した“くり抜き部”が貼付シート１に形成される。該くり抜き部に、皺・たるみ予防に薬剤を含有する皮膚外用剤を塗布、注入などの手段で塗布、含浸せしめる。例えば、チユーブや袋に封入された薬剤等を開封することによって簡単に含浸させることができる。
【００１４】
該“くり抜き部”は、皮膚外用剤の種類に応じて、大きさを調整できる。また、適用する外用剤をくり抜き部に塗布することにより、計量機能を発揮する。該皮膚外用剤の垂れ落ち防止性を考えると粘度が１，０００Pa・sec〜６０，０００Pa・secの範囲にあることが好ましい。１，０００Pa・sec未満では、皮膚吸収性はよいが、皮膚への粘着時に液が垂れ落ちやすく衣服を汚したり、必要量が確保しにくい問題がある。一方、６０，０００Pa・secを越えると、粘度が高すぎ、くり抜き部への塗布、注入が難しくなるし経皮吸収効果が低下する。該皮膚外用液に含有される経皮吸収成分と異なる経皮吸収成分を粘着層に含有させておくと、二段階的に経皮吸収を行わせることも出来る。
【００１５】
次いで、くり抜き部周囲の残りの離型シートを引き剥がし所望の部位に粘着する。基材シートに摘み部が設けられていると一定方向に該シート体を引っ張りながら皮膚に粘着することができるので皮膚に適度のテンションを与えることができる。このために基材シートの50％伸長時、シートの弾性に伴って発生する応力が1〜30Ｎ/5cmであることが好ましい。１N/5cm未満では、皮膚にテンションを与えにくく、活性化や引き締め効果が乏しくなる。
逆に、30N/5cmを越えると、引張応力が高くなりすぎて、皮膚刺激が強いため、粘着時に痛みを感じ易くなる。
【００１６】
本発明の化粧シートでは、皮膚外用剤や薬液等の塗布、含浸された域は、離型シートのくり抜き部に相当するが、該含浸域の周辺部は、予め配置された粘着層によって皮膚表面にしっかりと粘着されることとなる。該粘着面の内側の皮膚外用剤や薬液等は、皮膚の所定の部位に直接的に接触することになる。結果として、経皮吸収成分がゲル剤中に包含された従来の貼付剤に比べ、経皮吸収速度が速いので、短時間のパックであっても経皮吸収成分を皮膚内部へ浸透せしめることが可能である。  また、くり抜き周囲の粘着面は、皮膚にしっかりと固定されるので、粘着中に液が流出したり、垂れ落ちることはない。
【００１７】
次に、本発明の貼付シートを構成する基材シートについて説明する。
該基材シートは、支持材に皮膚粘着可能な粘着層が設けられたシート体である。支持材の例として編物、織物、不織布、フィルム、発泡シートなどが挙げられる。フィルムの場合、皮膚の蒸れを抑制するために多孔性フィルムが好ましい。これらのシート体は単独で使用することができるが、同種または異種のシートを接着、溶着などの方法で積層一体化したシート体も好ましい。かかるシート体の材質としては、ポリアミド、ポリエステル、ポリオレフィン、ポリウレタン、レーヨン、木綿、アクリル等が挙げられる。
いずれにしても伸縮性、弾性を有していればよい。
【００１８】
次に、皮膚粘着可能な粘着層について説明する。該粘着層としては、皮膚に粘着したときに保持力と引き剥がすときに、痛みを感じさせないものであれば、何でもよく、前記支持材の一表面に塗布、含浸、接着、流延などの手段で設けられる。粘着性成分の好ましい例としては、各種の水溶性高分子、油溶性高分子、あるいはこれらを架橋などの手段で一部変性したゲル剤などが挙げられる。架橋剤の種類、配合料、配合条件は公知の方法から選択できるものである。
【００１９】
このような水溶性高分子として、ポリアクリル酸、ポリアクリル酸塩、ポリメタクリル酸、ポリメタクリル酸塩、ポリビニルアルコール、ポリビニルピロリドン、ポリアクリルアミド、ポリアクリルアミド塩、ポリメタクリルアミド、ポリメタクリルアミド塩、メタクリロイルオキシエチルトリメチルアンモニウムクロライド、メタクリルアミドプロピルトリメチルアンモニウムクロライド、N-n-ブトキシメチルアクリルアミド、N-iso-ブトキシアクリルアミド、t-ブチルアクリルアミドスルホン酸、t-ブチルアクリルアミドスルホン酸塩、ジメチルアミノプロピルメタクリルアミド、メトキシエチレン無水コハク酸共重合体、塩化ジメチルアミノアンモニウムまたはこれら重合性モノマー原料と他の重合性モノマーとの共重合体、あるいはカルボキシメチルセルロース塩、アルギン酸塩、カラギーナン、キサンタンガム、寒天又はカチオン化グアーガム等が挙げられる。
【００２０】
油溶性高分子の例としては、酢酸ビニル・クロトン酸共重合体、プロピオン酸ビニル・クロトン酸共重合体、酢酸ビニル樹脂、トリメチルシロキシケイ酸ポリマー、シリコン樹脂又はアクリル系重合体からなる粘着剤、スチレン-イソプレン-スチレンブロック共重合体、スチレン-ブタジエン-スチレンブロック共重合体、ポリイソプレン、ポロイソブチレン、ポリブタジエン等のゴム系粘着剤、シリコーンゴム、ジメチルシロキサンベース、ジフェニルシロキサンベース等のシリコン系粘着剤、ポリビニルメチルエーテル、ポリビニルエチルエーテル、ポリビニルイソブチルエーテル等のビニルエーテル系粘着剤、酢酸ビニル-エチレン共重合体等のビニルエステル系粘着剤、ジメチルテレフタレート、ジメチルイソフタレート、ジメチルフタレート等のカルボン酸成分とエチレングリコール等の多価アルコール成分からなるポリエステル系粘着剤、各種ゴム系重合体、アクリル変性シリコン樹脂、アクリル変性シリコン樹脂、エポキシ樹脂、ポリアクリロニトリル又はこれら重合性モノマー原料と他の重合性モノマーとの共重合体等が挙げられる。
【００２１】
かかる粘着層を形成する高分子マトリックスに対し、任意の化粧料成分を含有させることができる。レチノイン酸（ビタミンＡ酸）、レチノールなどのビタミンＡ類、グリコール酸、乳酸、グリセリン酸、リンゴ酸、酒石酸、クエン酸、サルチル酸、酢酸、ビルビン酸などのα-ヒドロキシ酸、またハイビスカスエキス、レモンエキス、キウイエキス、アセロラエキスなどの有機酸を含む植物抽出エキス、感光素101号、感光素201号、感光素301号、感光素401号、デオキシリボ核酸、ビタミンＥ，コラーゲン、エラスチン、アラントイン、プラセンタエキス、牛乳タンパク質分解物、酵母エキス、発酵乳抽出液、乳酸菌エキスなどの細胞賦活剤、また霊芝エキス、アロエ、オウゴン、スギナ、ゲンチアナ、ゴボウ根、シコン、ナスタチウム、ニンジン、ニンニク、ハマメリス、ホップ、ヨクイニン、オドリコソウ、センブリ、大豆、トウキ、トウキンセンカ、トマト、アルニカ、オウバク、ニンジン、サルビア、シモツケ、セイヨウノコギリソウ、ヘチマ、マツリカ、マンネンロウ、メリッサ、ローズマリー、スイカズラ、タチジャコウソウ、トウキンセンカ、オトギリソウなどの細胞賦活作用のある植物抽出エキスなどを追加成分とした含有させておくと良い。その他、遊離アミノ酸、ペプチド、蛋白質、有機酸、尿素、無機イオン又はヒアルロン酸等の保湿剤、動植物抽出液は、ビタミン類及びその誘導体等が挙げられる。また、通常使用された薬効成分としては、特に制限はなく、例えば鎮痛消炎剤、鎮痒剤、殺菌消毒剤、収斂剤、皮膚軟化剤等を必要に応じて適宜配合することができる。
【００２２】
かくして得られる支持材に粘着層が設けられたシート体は伸縮性と弾性回復力を具備するものである。かかる基材シート体の形状は特に限定されるものではなく、目的の部位に応じた任意のデザイン形状に成形される。基材シート体を貼付する部位は特に限定されるものではないが、顔面、とりわけ頬部、口元、顎部、眼の下、目尻、額部、首筋など外観上目立つ部位に使用すると好ましい。
該粘着層表面には離型性の離型シートが剥離可能に接合される。かかる離型シートの材質は特に限定されるものではなく、適度の剛性を有するものであればよい。離型シートは、未使用時における粘着層を保護すべく前記基材シート体よりも大きくなるように設計される。
【００２３】
該離型シートは、通常、粘着層との剥離を容易にするように粘着剤との界面側が易剥離処理されているものである。基材の材質としては、この分野で自体既知のものが挙げられ、具体的にはポリエチレンテレフタレートをはじめとするポリエステル系樹脂、ポリ塩化ビニル樹脂、ポリ塩化ビニリデン樹脂、各種アクリル系樹脂及びメタクリル系樹脂、シリコン系樹脂、フッ素系樹脂、ポリスチレン、ポリカーボネート、酢酸セルロース、再生セルロース、セルロイド等のプラスチックフィルム、あるいは上質紙又はグラシン紙等と合成樹脂とのラミネートフィルム等が例示される。
【００２４】
離型シートには、使用時にくり抜きができるように閉ループ状の切離し線が形成される。該閉ループ状線で囲まれる部分の形状、大きさは特に限定されるものでなく、皮膚外用剤や薬液を注入してパックする目的の部分を被覆し得るものであればよい。切離し線は、基材シートの輪郭線の内側に設けられる。このようにすると、粘着面の周囲には外用剤が付着せず、皮膚への粘着性が損なわれることはない。
【００２５】
切離し線は、カットが容易なようにミシン目のような破線状であるのが好ましい。該破線部の切断部、連結部の長さ、ピッチは特に限定されるものではない。また、切離し容易なように開始点を示すマーキングやつまみを設けても良い。かかる切離し線は、例えばトムソン刃のようなくり抜き手段や、高圧流体処理、レーザーカットなど各種の物理的手段によって形成されるものである。
切離し線が破線状である場合、相隣接する切断部を繋ぐ連結部を破断すると破断方向が所定の方向から逸れることがないようにガイド線のような破断誘導機能を設けておくと一層好ましい。
【００２６】
離型シートの好ましい厚みは、０．０２mm〜０．５０mm程度の範囲である。０．０２mm未満では、剛性が小さいために保形性に乏しくハンドリング性が悪くなる。また、離型シートに形成されるくり抜き部の体積が厚みによって規制されるために、０．０２mm未満では、皮膚外用液を注入しうる量が少なく、皺・たるみの予防、改善効果が乏しくなる。一方、０．５０ｍｍを超えると、皮膚外用剤の必要量が過大となり、経済性に欠ける。０．０２mm〜０．５０mm程度の範囲であれば、必要量の皮膚外用剤を計量してくり抜き部へ注入することが可能となる。
【００２７】
次に、本発明の化粧シートで使用する皮膚外用剤又は薬液について説明する。
剤型は、ローション剤、乳剤、ゲル剤、クリーム剤、軟膏剤など種々の形態がある。皮膚外用剤又は薬液は、皺・たるみの予防、さらに好ましくは改善に有効な成分を含有する化粧料であればよい。かかる薬剤としては、皮膚細胞の活性化作用を有するものであれば良く、ムコ多糖類、コラーゲン類、エラスチン類、リボ核酸及びその塩、デオキシリボ核酸及びその塩、α-及びγ-リノレン酸、キサンチン及びその誘導体（カフェイン等）、アミノ酸及び素の誘導体（セリン、グルタミン酸、テアニン、ヒドロキシプロリン、ピロリドンカルボン酸等）、ドコサヘキサエン酸及びその誘導体、エイコサペンタエン酸及びその誘導体、クエン酸、乳酸、リンゴ酸、コハク酸の他、アーモンド、アンズ（キョウニン）、イチョウ、キハダ（オウバク）、オオムギ（バクガ）、キウイ抽出物、キュウリ、ゴボウ、コウソウ、シイタケ、スギナ、センブリ、大豆、ナツメ（タイソウ）、ツボクサ、トウガラシ、トウキンセンカ、トマト、ニンニク、ニンジン、ブクリョウ、ブドウ種子油、ブナノキ、ブナの芽、モモ、ユーカリ、ユリ、レタス、レモン、ローズマリー（マンネンロウ）、麦芽根などの植物エキス類、動物由来抽出物（イカスミ等軟体動物抽出物、貝殻抽出物、貝肉抽出物、魚肉抽出物、魚皮抽出物、鶏冠抽出物、ローヤルゼリー、シルクプロテイン及びその分解物、胎盤抽出物、血清除蛋白抽出物、ラクトフェリン又はその分解物等）、酵母抽出物、微生物醗酵代謝産物（乳酸菌、ビフィズス菌等由来）、霊芝抽出物等が挙げられる。これらの群より選ばれる１種又は２種以上の成分を含有することが好ましい。好ましく使用できるものは、たとえばコラーゲン類で、海産動物、さらに好ましくは魚類由来のものが安全性の点で好適である。
【００２８】
該皮膚外用剤又は薬液に配合される薬剤の配合量は、皮膚外用剤全体に対して、０．００１wt％〜３wt%程度が効果と経済性との観点で好ましい。
前記薬剤に加え、増粘剤として、アルギン酸ナトリウム、キサンタンガム、珪酸アルミニウム、マルメロ種子抽出物、トラガントガム、デンプン、コラーゲン、ヒアルロン酸ナトリウム等の天然高分子物質、メチルロース、ヒドロキシエチルセルロース、カルボキシメチルセルロース、可溶性デンプン、カチオン化セルロース等の半合成高分子物質、カルボキシビニルポリマー又はポリビニルアルコール等の合成高分子物質等を配合することができる。
他に、ビタミン類、美白剤、界面活性剤、保湿剤、pH調整剤、殺菌剤、防腐剤、角質溶解剤、抗酸化剤、香料、色素、紫外線吸収剤又は顔料等を適宜配合することができる。
かかる皮膚外用剤は、気密性の軟質容器や包装袋などのパッケージに封入しておくと無駄なく使用できるので好都合である。
【００２９】
皮膚外用剤の充填された容器又は袋と化粧シートとをセットにし、化粧シートキットとして包装体を形成すると使用性が向上する。皮膚外用剤は、使用時まで貼付シートと接触することなく隔離して収納されることになるので、それぞれ品質は保持される。
かかる包装体の形態は、特段、限定されるものではない。製造性、保管性、携行性の点を考慮すると、バウチ包装、ピロー包装などの袋状形態が好ましい。
【００３０】
以下、本発明を実施例によってさらに詳しく説明する。
【実施例１】
【００３１】
表１の配合処方に従って、粘着性組成物を製造した。
【表１】
2005185391.tif 000003
【００３２】
該粘着剤組成物を、微多孔性ポリウレタンフィルムとナイロン製トリコット編物をヒートラミネートした積層シート（支持材）の編物面へ、塗布して基材シートを製造した。（該基材シートの50％伸長時の引張応力はタテ及びヨコ方向がそれぞれ12.5N/5cm及び2.3N/5cmである。）
該基材シートの粘着面側に、表面にシリコン処理を施したPETからなる離型
シート（厚み75μm）を接合した。トムソン刃を装着した打ち抜き式成形機により、基材シート側を図１に示す形状に成形した。
一方、離型シートに図１に示す形状の閉曲線状に破線状切込み線を形成し、化粧シートを製造した。
この化粧シートの離型シートに設けられた切込み線を切離し、出現したくり抜き部（基材シートの粘着層が現れている）に、r−リノレイン酸を含有する皮膚外用剤（粘度5,000Pa・sec）を注入した。注入後、残りの離型シートを取り外し、貼付シートの下側を頬部に当接した。（皮膚外用液がこめかみ部に当るようにシートを配置）次いで摘み部を指で引っ張りながら、周囲の粘着部を貼付した。
このとき、皮膚外用剤は適度の粘性を有するので、貼付シートを傾けても液が垂れ落ちず、手や衣服を汚損することはなかった。
皺やたるみが目立つ被験者に対し、貼付を行ったところ、薬剤の皮膚吸収性が早いので、1日あたり30分間のパックであっても、1週間の使用により皺やたるみが目立たなくなった。
【実施例２】
【００３３】
表１の配合処方に従って、粘着剤組成物を調製した。
該粘着剤組成物を、目付９５g/m2のポリエステル不織布ＥＷ−６９５０Ｔ（日本バイリーン(株)製）の片側一面に塗布して基材シートを製造した。（該基材シートの５０％伸長時の引張応力はタテ及びヨコ方向がそれぞれ１３．７Ｎ／５cm及び４．４Ｎ／５cmである。）
該基材シートの粘着面側に、表面にシリコン処理を施したＰＥＴからなる離型シート（厚み８０μm）を接合した。トムソン刃を装着した打ち抜き式成形機により、基材シート側を図１に示す形状に成形した。
また、離型シートに図１に示す形状の閉曲線状に破線状切込み線を形成し、化粧シートを製造した。
一方、消炎剤としてグリチルリチン酸ジカリウム0.1wt％を含有する薬液（粘度2,000Ｐａ・sec）をチューブ状容器に封入（くり抜き部に相当する量だけ計量されている）し、前記化粧シートと該チューブ状容器とをアルミラミネートを施したパウチ包装袋に同封しヒートシールした。
次に、使用時には該パウチ包装袋を開封し、中味の化粧シートの離型シートに設けられた切込み線を切り離し、出現したくり抜き部（基材シートの粘着層が現れている）に、チューブ状容器からグリチルリチン酸ジカリウムを含有する薬液を全量注入した。注入後、残りの離型シートを取り外し、貼付シートの下側を頬部に当接した。（薬液がこめかみ部に当たるようにシートを配置）次いで摘み部を指で引っ張りながら、周囲の粘着部を貼付した。
該周囲の粘着部は薬液が付着していないので貼着性は良好でズレることはなかった。また、薬液は高粘度であるので、基材シートを傾けても液が垂れ落ちず、手や衣服を汚損することはなかった。
日焼けで頬部の赤いホテリが目立つ被験者に対し、貼付試験を行ったところ、皮膚吸収速度が早いので1日あたり30分間のパックであっても、２日間の使用により頬のホテリが完全に鎮静された。
【図面の簡単な説明】
【００３４】
【図１】本発明の化粧シート平面図
【図２】本発明の化粧シートの断面図
【図３】本発明の化粧シートの切離し部取り出し状態
【符号の説明】
【００３５】
１    化粧シート
２    基材シート
３    離型シート
４    離型シート切離し部
５    粘着層
６    切離し線
７    基材シート摘み部
【図１】
2005185391.tif 000004
【図２】
2005185391.tif 000005
【図３】
2005185391.tif 000006